(57)【要約】【課題】  光ディスクに記録された情報を適切にレイアウトしてレーベル面へ表示する【解決手段】    ＣＤ１００のレーベル面へ印刷する印刷画像数に対応して、予め印刷レイアウトを記憶し、ＣＤ１００内に記録された画像データの中から、指定された印刷画像数と同数の印刷画像を選択し、選択された印刷画像を、印刷画像数に対応した印刷レイアウトでＣＤ１００のレーベル面へ印刷する、【選択図】      図１
2007054973.tif 000002
【特許請求の範囲】
【請求項１】
光ディスクのレーベル面へ印刷する印刷画像数に対応して、予め印刷レイアウトを記憶し、
前記光ディスク内に記録された画像データの中から、複数の指定された前記印刷画像数と同数の印刷画像を選択し、
前記選択された印刷画像を、前記印刷画像数に対応した印刷レイアウトで前記光ディスクのレーベル面へ印刷する、
レーベル印刷方法。
【請求項２】
前記光ディスク内に記録された画像データの中の、最も早い撮影日時から最も遅い撮影日時までの期間を前記印刷画像数よりも１少ない数に分割し、分割された各期間内に撮影された画像の中から前記印刷画像を１つずつ選択すること、
を特徴とする請求項１に記載のレーベル印刷方法。
【請求項３】
選択される複数の前記印刷画像の各々の色調が統一されるように前記印刷画像を選択すること、
を特徴とする請求項１に記載のレーベル印刷方法。
【請求項４】
選択される複数の前記印刷画像の各々の色調が分散されるように前記印刷画像を選択すること、
を特徴とする請求項１に記載のレーベル印刷方法。
【請求項５】
選択される複数の前記印刷画像の各々の重心が分散されるように各々の前記印刷画像を選択すること、
を特徴とする請求項１に記載のレーベル印刷方法。
【請求項６】
光ディスクのレーベル面へ印刷する印刷画像数に対応して、予め印刷レイアウトを記憶する記憶手段と、
前記光ディスク内に記録された画像データの中から、複数の指定された前記印刷画像数と同数の印刷画像を選択する選択手段と、
前記選択された印刷画像を、前記記憶手段に記憶された前記印刷画像数に対応した印刷レイアウトで前記光ディスクのレーベル面へ印刷する印刷手段と、
を備えたレーベル印刷装置。
【発明の詳細な説明】
【技術分野】
【０００１】
本発明は、光ディスクのレーベル面（記録面とは反対側の面）に、光ディスク内に記録された画像を表示するためのレーベル印刷方法、及び、レーベル印刷装置に関する。
【背景技術】
【０００２】
従来から、レーザー光により情報の記録が可能な光ディスク（光ディスク）が知られている。この光ディスクには、ＣＤ−Ｒ／ＲＷや、ＤＶＤ−Ｒ／ＲＷ／ＲＡＭなどがある。
【０００３】
ところで、種々の光ディスクでは、記録面に記録したデータを識別するために、ＣＤに記録された画像の一覧をインデックスシートに印刷することが行われている（特許文献１参照）。しかしながら、光ディスクとインデックスシートとがバラバラなってしまった場合には、ＣＤ内の情報を実際に再生して確認しなければならない。
【０００４】
そこで、情報が記録される記録面とは反対側のレーベル面に、タイトルや代表画像などの可視情報を印刷することが行われている。例えば、特許文献２では、ＣＤに記録された画像の中からいくつかの画像を選択してＣＤのレーベル面に印刷し、特許文献３では、ＣＤに記録された画像の一覧をＣＤのレーベル面に印刷して記録データの識別が行われている。
【０００５】
しかしながら、ＣＤのレーベル面という限られたスペースに、ＣＤに記録された情報の内容を適切にレイアウトして印刷するのは困難であった。
【特許文献１】特開平５−１９１７６１号公報
【特許文献２】特開平５−１８２４１１号公報
【特許文献３】特開平１１−８６５０５号公報
【発明の開示】
【発明が解決しようとする課題】
【０００６】
本発明は、上記事実に鑑みてなされたものであり、光ディスクに記録された情報を適切にレイアウトしてレーベル面へ表示することを目的とする。
【課題を解決するための手段】
【０００７】
請求項１に記載のレーベル印刷方法は、光ディスクのレーベル面へ印刷する印刷画像数に対応して、予め印刷レイアウトを記憶し、前記光ディスク内に記録された画像データの中から、複数の指定された前記印刷画像数と同数の印刷画像を選択し、前記選択された印刷画像を、前記印刷画像数に対応した印刷レイアウトで前記光ディスクのレーベル面へ印刷する、ものである。
【０００８】
本発明では、光ディスクのレーベル面へ印刷する印刷画像数に対応して、予め印刷レイアウトが記憶されている。そして、指定された印刷画像数と同数の印刷画像が、光ディスク内に記録された画像データの中から選択され、選択された印刷画像が光ディスクのレーベル面へ印刷される。レーベル面への印刷は、印刷画像数に対応して記憶されているレイアウトとされているので、光ディスクに記録された情報を適切にレイアウトしてレーベル面へ表示することができる。
【０００９】
請求項２に記載のレーベル印刷方法は、前記光ディスク内に記録された画像データの中の、最も早い撮影日時から最も遅い撮影日時までの期間を前記印刷画像数よりも１少ない数に分割し、分割された各期間内に撮影された画像の中から前記印刷画像を１つずつ選択すること、を特徴とする。
【００１０】
上記のようにして印刷画像を選択することにより、撮影期間内で所定期間経過毎の画像を印刷画像とすることができる。
【００１１】
請求項３に記載のレーベル印刷方法は、選択される複数の前記印刷画像の各々の色調が統一されるように前記印刷画像を選択すること、を特徴とする。
【００１２】
上記のように印刷画像を選択することにより、色調の統一された見た目に美しいレーベル印刷とすることができる。
【００１３】
請求項４に記載のレーベル印刷方法は、選択される複数の前記印刷画像の各々の色調が分散されるように前記印刷画像を選択すること、を特徴とする。
【００１４】
上記のように印刷画像を選択することにより、偏りのないバランスのとれた色調の見た目に美しいレーベル印刷とすることができる。
【００１５】
請求項５に記載のレーベル印刷方法は、選択される複数の前記印刷画像の各々の重心が分散されるように各々の前記印刷画像を選択すること、を特徴とする。
【００１６】
上記のように印刷画像を選択することにより、バランスのとれた見た目に美しいレーベル印刷とすることができる。
【００１７】
請求項６に記載のレーベル印刷装置は、光ディスクのレーベル面へ印刷する印刷画像数に対応して、予め印刷レイアウトを記憶する記憶手段と、前記光ディスク内に記録された画像データの中から、複数の指定された前記印刷画像数と同数の印刷画像を選択する選択手段と、前記選択された印刷画像を、前記記憶手段に記憶された前記印刷画像数に対応した印刷レイアウトで前記光ディスクのレーベル面へ印刷する印刷手段と、を備えている。
【００１８】
本発明のレーベル印刷装置では、記憶手段に光ディスクのレーベル面へ印刷する印刷画像数に対応して予め印刷レイアウトが記憶されている。また、選択手段は、光ディスク内に記録された画像データの中から、複数の指定された印刷画像数と同数の印刷画像を選択する。そして、印刷手段は、選択された印刷画像を記憶手段に記憶された印刷画像数に対応した印刷レイアウトで光ディスクのレーベル面へ印刷する。
【００１９】
上記構成によれば、選択手段で印刷用の印刷画像が自動的に選択され、選択枚数に応じたレイアウトで光ディスクのレーベル面へ印刷画像を印刷することができる。
【発明の効果】
【００２０】
本発明によれば、光ディスクに記録された情報を適切にレイアウトしてレーベル面へ表示することができる。
【発明を実施するための最良の形態】
【００２１】
図１には、本実施の形態に係るレーベル印刷装置１０４、及び、レーベル印刷装置１０４によりレーベル印刷される光ディスクとしてのＣＤ（コンパクト・ディスク）１００が示されている。ＣＤ１００はドーナツ型であり、軸芯に設けられた円孔１０２を中心に高速回転され、デジタルデータの書き込み及び読み出しがなされるようになっている。
【００２２】
デジタルデータの記録面は、図１のＣＤ１００の下面側とされ、この記録面が対向するように、レーベル印刷装置１０４の装填部１０６に装填されるようになっている。ＣＤ１００の記録面には、画像データ、及び、画像データに付随するインデックスデータなどが記録されている。インデックスデータとしては、画像データの撮影日などが記録されている。
【００２３】
図１に示されるように、装填部１０６の底面中央部には、貫通孔１０８が設けられ、前記円孔１０２に嵌合する回転軸１１０が突出されている。回転軸１１０は、図２に示す回転駆動部１１２によって高速に回転するようになっている。
【００２４】
また、この回転軸１１０の近傍から半径方向には長孔１１４が設けられ、この長孔１１４に沿って移動可能な読取部１１６が設けられている。読取部１１６は、読取ヘッド１１８とこの読取ヘッド１１８を駆動するヘッド駆動部１２０とで構成されている。
【００２５】
ここで、ＣＤ１００が装填部１０６に装填され、高速に回転された状態で、読取部１１６が半径方向へ移動しながら、読取ヘッド１１８によって、ＣＤ１００に記録されたデジタルデータが読み取られるようになっている。
【００２６】
このレーベル印刷装置１０４には開閉可能な蓋体１２２が設けられている。この蓋体１２２には、プリントユニット１２４が内蔵されている。
【００２７】
プリントユニット１２４は、ＹＭＣＫ４色のインクの充填されたヘッド１２８を備えている。このプリンとユニット１２４は、画像データに応じてインクジェットヘッド１２８がベース１２９に沿った主走査方向、及び、ガイド１２７に沿った副走査方向に移動するように駆動部１３２（図２参照）によって制御されている。
【００２８】
ここで、ＣＤ１００が装填されて所定の回転角度で停止、保持されている状態で（基本的には、いずれの位置で停止してもよい）、ベース１２９及びガイド１２７に沿って前記インクジェットヘッド１２８を主走査、副走査することにより、ＣＤ１００の表面上に画像を記録することができるようになっている。
【００２９】
図２には、レーベル印刷装置１０４の制御ブロック図が示されている。
【００３０】
制御部１３０は、レーベル印刷装置１０４の各部を制御するものであり、ＣＰＵ、ＲＯＭ、ＲＡＭなどを含んで構成されている。制御部１３０は、メモリ１３１、プリントユニット１２４の駆動部１３２、ＣＤ１００の回転させる回転駆動部１１２、及び、読取部１１６のヘッド駆動部１２０と接続されている。
【００３１】
メモリ１３１には、後述するレーベル印刷処理の実行プログラム、印刷画像枚数に対応した印刷レイアウト、などが記憶されている。印刷レイアウトとしては、印刷画像が６枚のときには、図３（Ａ）に示す画像ａ〜ｆのレイアウト、印刷画像が４枚のときには、図３（Ｂ）に示す画像ａ〜ｄのレイアウト、印刷画像が５枚のときには、図３（Ｃ）に示す画像ａ〜ｅのレイアウトが、各々記憶されている。また、各々の印刷画像枚数ｎに対応して、アルバムのタイトルＴ、撮影期間Ｄの印刷位置も記憶されている。
【００３２】
次に、本実施の形態の作用を説明する。
【００３３】
ＣＤ１００を装填部１０６に装填し、蓋体１２２を閉止した後、ユーザーは、レーベル印刷を行う印刷画像枚数ｎ、及び、印刷を行う画像の選択パターンと共に、レーベル印刷の開始指示を図示しない指示部から入力する。画像の選択パターンとして、本実施形態では、撮影期間内の所定期間毎で画像の選択を行う期間選択パターン、画像の色調で選択を行う色調選択パターン、画像の重心で選択を行う重心選択パターン、の３パターンのいずれかで印刷画像が選択される。
【００３４】
制御部１３０では、図４に示すレーベル印刷処理が開始される。
【００３５】
ステップＳ１０で、入力された画像の選択パターンが、期間選択パターンかどうかを判断し、期間選択パターンであれば、ステップＳ１２で期間選択処理が行われる。期間選択処理は、図５に示すように、ステップＳ１２−１で、ＣＤ１００に記録されている全画像データの中から、撮影日時が最も古い画像Ｇ１を抽出し、ステップＳ１２−２で、ＣＤ１００に記録されている全画像データの中から、撮影日時が最も新しい画像ＧＮを抽出する。
【００３６】
次に、ステップＳ１２−３で、画像Ｇ１から画像ＧＮまでの日数ＤＴを算出し、ステップＳ１２−４で、日数ＤＴ／（印刷画像枚数ｎ−１）により、所定期間ＤＳを算出する。
【００３７】
次に、ステップＳ１２−５で、印刷画像の選択数がｎ枚に達したかどうかを判断するためのｉに２を代入する。そして、ステップＳ１２−６で、ｉ＜ｎかどうかを判断する。ｉ＜ｎであれば、さらに印刷画像の選択を行うために、ステップＳ１２−７へ進む。ｉ＜ｎであれば、すべての印刷画像の選択が終了しているため、期間選択処理を終了して、次のステップＳ１４へ進む。ステップＳ１２−７では、画像Ｇ１の撮影日時ＤＨに（所定期間ＤＳ×（ｉ−１））を足し合わせた日に一番近い撮影日時の画像データを印刷画像データとして選択する。
【００３８】
そして、ステップＳ１２−８で、ｉ＝ｉ＋１として、ステップＳ１２−６に戻る。
【００３９】
上記のようにして、印刷画像を選択することにより、図７に示すように、撮影日時の最も古い画像Ｇ１、画像Ｇ１から所定期間ＤＳ経過時に最も近い日時で撮影された画像Ｇ２、画像Ｇ２から所定期間ＤＳ経過時に最も近い日時で撮影された画像Ｇ３、撮影日時の最も新しい画像ＧＮ、画像ＧＮから所定期間ＤＳ前に最も近い日時で撮影された画像Ｇ（Ｎ−１）などが、印刷画像として選択される。
【００４０】
上記の期間選択処理で印刷画像を選択することにより、図６に示すように、所定期間経過毎の画像データを選択することができ、撮影日時の分散された画像でレーベル印刷を行うことができる。
【００４１】
ステップＳ１４では、選択された印刷画像を、印刷画像数に対応した印刷レイアウトでＣＤ１００のレーベル面へ印刷するように、駆動部１３２へ印刷画像データが出力される。これにより、インクジェットヘッド１２８が駆動されて、ＣＤ１００のレーベル面に印刷画像が印刷される。
【００４２】
また、ステップＳ１０での判断が否定された場合には、ステップＳ２０で、色調選択パターンかどうかを判断し、色調選択パターンであれば、ステップＳ２２で色調選択処理が行われる。色調選択処理は、図７に示すように、ステップＳ２２−１で、ＣＤ１００に記録されている画像データの各々について、マッピング処理を行う。マッピング処理は、ＲＧＢＣＭＹの各色がどの程度存在するかによって、マッピングを行う。各画像データの色調は、図８（Ａ）に示すように、頂点をＲＧＢＣＭＹとする六角形状の色調マップ上の、当該画像データの色調に対応した位置にマッピングされる。
【００４３】
マッピング処理は、図９に示すように。ステップＳ２２Ｍ−１で、画像データ中の全画素の色相を調べ、ステップＳ２２Ｍ−２で、最も多い色とその色が画像データ中に占める割合を求める。そして、ステップＳ２２Ｍ−３で、色調マップ上の対応する位置に当該画像データの色調データとしてマッピングする。
【００４４】
次に、ステップＳ２２−２で、ユーザーから、色調分散で選択するか、色調統一で選択するかについての指示入力があるまで待機する。ここで、色調分散での選択は、マッピングされた印刷画像数ｎ個の色調位置を結んで囲まれる領域が、最も広い面積となるように選択する。一方、色調統一での選択は、マッピングされた印刷画像数ｎ個の色調位置を結んで囲まれる領域が、最も狭い面積となるように選択する。
【００４５】
ユーザーからの指示入力があった場合には、ステップＳ２２−３で、指示入力が色調分散での選択であったかどうかを判断する。色調分散での選択であった場合には、ステップＳ２２−４で、マッピングされた印刷画像数ｎ個の色調位置を結んで囲まれる領域が、最も広い面積となるような、ｎ個の画像データを印刷画像として選択する（図８（Ｂ）参照）。
【００４６】
上記色調分散での選択で印刷画像を選択することにより、色調に偏りのない全体的にバランスのとれた、見た目に美しいレーベルを作成することができる。
【００４７】
ステップＳ２２−３での判断が否定された場合には、指示入力は色調統一での選択であるため、ステップＳ２２−５で、さらに、ＲＧＢＣＭＹの中から中心となる色がユーザーによって入力されるまで待機する。ユーザーにより入力されたら、ステップＳ２２−６で、入力された色を中心にマッピングされた印刷画像数ｎ個の色調位置を結んで囲まれる領域が、最も狭い面積となるような、ｎ個の画像データを印刷画像として選択する（図８（Ｃ）参照）。
【００４８】
上記色調統一での選択で印刷画像を選択することにより、色調が統一され、見た目に美しいレーベルを作成することができる。
【００４９】
ステップＳ２４では、選択された印刷画像を、印刷画像数に対応した印刷レイアウトでＣＤ１００のレーベル面へ印刷するように、駆動部１３２へ印刷画像データが出力される。これにより、インクジェットヘッド１２８が駆動されて、ＣＤ１００のレーベル面に印刷画像が印刷される。
【００５０】
また、ステップＳ２０での判断が否定された場合には、重心選択パターンが指示入力されていると判断できるため、ステップＳ３２で重心選択処理が行われる。重心選択処理は、図１０に示すように、ステップＳ３２−１で、ＣＤ１００に記録されている画像データの内の１つの画像データの重心位置を求める重心算出処理が行われる。重心算出処理は、図１１に示すように、ステップＳ３２Ｇ−１で、オリジナルの画像データの明度を上げ、ステップＳ３２Ｇ−２で、画像データのコントラストを強調する（図１３（Ａ−２）（Ｂ−２）（Ｃ−２）参照）。
【００５１】
次に、ステップＳ３２Ｇ−３で、画像データを２値化し（図１３（Ａ−３）（Ｂ−３）（Ｃ−３）参照）、ステップＳ３２Ｇ−４で、２値化された画像データに基づいて、黒データの集中する部分が、図１２に示す４エリア（エリアＥ１〜Ｅ４）のうちのどの部分にあるかを求めて（以下、この部分を「重心」として扱う）重心エリアを決定する（図１３（Ａ−４）（Ｂ−４）（Ｃ−４）参照）。以上が、重心算出処理である。
【００５２】
次に、ステップＳ３２−２で、求められた重心位置がエリアＥ１かどうかを判断し、判断が肯定された場合には、ステップＳ３２−３で、エリアＥ１の印刷画像が空きかどうか、すなわち、エリアＥ１の印刷画像がすでに決定されていないかどうかを判断する。エリアＥ１の印刷画像が空きの場合には、ステップＳ３２−４で、当該画像をエリアＥ１の画像として決定する。エリアＥ１の印刷画像がすでに決定されている場合には、ステップＳ３２−１４へ進む。
【００５３】
ステップＳ３２−２での判断が否定された場合には、ステップＳ３２−５で、求められた重心位置がエリアＥ２かどうかを判断し、判断が肯定された場合には、ステップＳ３２−６で、エリアＥ２の印刷画像が空きかどうか、すなわち、エリアＥ２の印刷画像がすでに決定されていないかどうかを判断する。エリアＥ２の印刷画像が空きの場合には、ステップＳ３２−７で、当該画像をエリアＥ２の画像として決定する。エリアＥ２の印刷画像がすでに決定されている場合には、ステップＳ３２−１４へ進む。
【００５４】
ステップＳ３２−５での判断が否定された場合には、ステップＳ３２−８で、求められた重心位置がエリアＥ３かどうかを判断し、判断が肯定された場合には、ステップＳ３２−９で、エリアＥ３の印刷画像が空きかどうか、すなわち、エリアＥ３の印刷画像がすでに決定されていないかどうかを判断する。エリアＥ３の印刷画像が空きの場合には、ステップＳ３２−１０で、当該画像をエリアＥ３の画像として決定する。エリアＥ３の印刷画像がすでに決定されている場合には、ステップＳ３２−１４へ進む。
【００５５】
ステップＳ３２−８での判断が否定された場合には、求められた重心位置がエリアＥ４であるため、ステップＳ３２−１２で、エリアＥ４の印刷画像が空きかどうか、すなわち、エリアＥ４の印刷画像がすでに決定されていないかどうかを判断する。エリアＥ４の印刷画像が空きの場合には、ステップＳ３２−１３で、当該画像をエリアＥ４の画像として決定する。エリアＥ４の印刷画像がすでに決定されている場合には、ステップＳ３２−１４へ進む。
【００５６】
ステップＳ３２−１４では、ＣＤ１００に記録された画像データをすべて読み込んだかどうか（最後の画像データかどか）を判断し、判断が否定された場合には、未だ読み込んでいない画像データがあるため、ステップＳ３２−１５で次の画像データを読み込んで、ステップＳ３２へ戻る。ステップＳ３２−１４での判断が肯定された場合には、ステップＳ３４へ進む。
【００５７】
上記の重心選択処理によれば、重心が分散されて全体的にバランスのとれた見た目に美しいレーベルを形成することができる。
【００５８】
ステップＳ３４では、選択された印刷画像を、印刷画像数に対応した印刷レイアウトでＣＤ１００のレーベル面へ印刷するように、駆動部１３２へ印刷画像データが出力される。これにより、インクジェットヘッド１２８が駆動されて、ＣＤ１００のレーベル面に印刷画像が印刷される。
【００５９】
以上、本実施形態によれば、ＣＤ１００に記録されている多数の画像データの中から、印刷画像数に応じて自動的に印刷画像が選択され、印刷画像数に対応して記憶されているレイアウトで印刷されるので、ＣＤ１００に記録された情報を適切にレイアウトしてレーベル印刷を行うことができる。
【００６０】
なお、本実施形態では、ＣＤ１００に印刷画像を直接印刷したが、紙、その他の記録媒体に印刷し、当該記録媒体をＣＤ１００に貼付して表示してもよい。
【００６１】
また、本実施形態では、ＣＤを例に説明したが、その他の光ディスク、例えばＤＶＤにも本発明を適用することができる。
【図面の簡単な説明】
【００６２】
【図１】本実施形態に係るレーベル印刷装置の概略図である。
【図２】本実施形態に係るレーベル印刷装置の制御系の概略ブロック図である。
【図３】印刷画像数に応じたレイアウトの例である。
【図４】本実施形態のレーベル印刷処理のフローチャートである。
【図５】本実施形態の期間選択処理のフローチャートである。
【図６】本実施形態の期間選択処理で選択される印刷画像の撮影日時の例の説明図である。
【図７】本実施形態の色調選択処理のフローチャートである。
【図８】本実施形態の色調でのマッピングの例を示す図である。
【図９】本実施形態のマッピング処理のフローチャートである。
【図１０】本実施形態の重心選択処理のフローチャートである。
【図１１】本実施形態の重心算出処理のフローチャートである。
【図１２】本実施形態の重心算出処理で選択される４エリアを示す図である。
【図１３】本実施形態の重心算出処理での選択プロセスの説明図である。
【符号の説明】
【００６３】
１００  ＣＤ
１０４  レーベル印刷装置
１２４  プリントユニット
１２８  インクジェットヘッド
１３０  制御部
１３１  メモリ
【図１】
2007054973.tif 000003
【図２】
2007054973.tif 000004
【図３】
2007054973.tif 000005
【図４】
2007054973.tif 000006
【図５】
2007054973.tif 000007
【図６】
2007054973.tif 000008
【図７】
2007054973.tif 000009
【図８】
2007054973.tif 000010
【図９】
2007054973.tif 000011
【図１０】
2007054973.tif 000012
【図１１】
2007054973.tif 000013
【図１２】
2007054973.tif 000014
【図１３】
2007054973.tif 000015